(57)【要約】【課題】津波時に自力で下階から屋上に避難できない人が多くいる建物においても、多人数を直ちに屋上に移動（避難）させることを可能にする。【解決手段】建物の一方の外壁面にゴンドラ３を昇降可能に配し、反対側の外壁面にバランスウエイト７を昇降可能に配し、ゴンドラ３及びバランスウエイト７のそれぞれ上方の屋上に支持装置５、６を設置し、屋上にワイヤ巻取りリール１２を設置し、ゴンドラに連結したワイヤロープ１０ａ及びバランスウエイト７に連結したワイヤロープ１０ｂをそれぞれ支持装置に設けたシーブ８、９を通してワイヤ巻取りリール１２に巻回する。ワイヤ巻取りリール１２を手動又は電動モータでいずれか一方に回すと、ゴンドラ３が地上と屋上階との間で、バランスウエイト７と逆の昇降動作を伴いつつ昇降する。ゴンドラとバランスウエイトの重量の釣り合いを利用するので、極めて小さな駆動力でゴンドラを昇降できる。【選択図】図２
2014173288.tif 000002
【特許請求の範囲】
【請求項１】
陸屋根形式の建物の一方の外壁面に面して配されたゴンドラと、
前記一方の外壁面に配されて前記ゴンドラを昇降可能に案内するガイド部材と、
屋上階における前記ゴンドラの上方位置に固定された一方の支持装置と、
前記一方の外壁面と反対側の他方の外壁面に面して平面視で前記ゴンドラに後背する位置に配されたバランスウエイトと、
屋上階における前記バランスウエイトの上方位置に固定された他方の支持装置と、
前記一方の支持装置に取り付けたシーブを介して前記ゴンドラに連結されたワイヤロープ、及び、前記他方の支持装置に取り付けたシーブを介して前記バランスウエイトに連結されたワイヤロープをそれぞれ共通の巻胴に巻き取るワイヤ巻取りリールとを備え、
前記ゴンドラとバランスウエイトとの相対的な高さ位置関係は、ゴンドラが地上に位置している状態ではバランスウエイトが屋上階近傍に位置する位置関係であり、
前記ワイヤ巻取りリールを電動モータ又は手動により回転駆動することにより、
前記ゴンドラを地上と屋上階との間で、前記バランスウエイトの逆の昇降動作を伴いつつ昇降させるようにしたことを特徴とする緊急屋上避難装置。
【請求項２】
前記ワイヤ巻取りリールを２つ、共通の回転軸を有する態様で２連に設置し、それぞれのワイヤロープをゴンドラ及びバランスウエイトに連結したたことを特徴とする請求項１記載の緊急屋上避難装置。
【請求項３】
前記支持装置は、両側の支持装置を結ぶ直線と水平に直交する方向から見て、屋上床に固定されたベース部と前記ベース部の外壁側の一端から立ち上がる柱部と前記柱部の上端から外壁面より外側に張出す突梁部とで概ねＺ形をなすフレームを有するＺ型の突梁型支持装置であり、このＺ型の突梁型支持装置の前記突梁部の先端近傍にシーブを備えていることを特徴とする請求項１又は２記載の緊急屋上避難装置。
【請求項４】
前記ワイヤ巻取りリールは、屋上における前記ゴンドラ側のワイヤロープと前記バランスウエイト側のワイヤロープとが一直線状をなす態様で巻回していることを特徴とする請求項１〜３のいずれか１項に記載の緊急屋上避難装置。
【請求項５】
前記ゴンドラ側のワイヤロープ及びバランスウエイト側のワイヤロープはそれぞれ、前記一方の支持装置の最先端のシーブ及び他方の支持装置の最先端のシーブから直接又は間接的に立下ってそれぞれ屋上床面近傍の高さ位置に設けたシーブを通されており、前記ワイヤ巻取りリールは、ワイヤロープの前記２つの屋上床面近傍シーブ間を直線状をなす態様で巻回していることを特徴とする請求項１〜４のいずれか１項に記載の緊急屋上避難装置。
【請求項６】
陸屋根形式の建物の一方の外壁面に面して配されたゴンドラと、
前記外壁面に配されて前記ゴンドラを昇降可能に案内するガイド部材と、
屋上階における前記ゴンドラの上方位置に固定された一方の支持装置と、
前記一方の外壁面と反対側の他方の外壁面に面して平面視で前記ゴンドラに後背する位置に配されたバランスウエイトと、
屋上階における前記バランスウエイトの上方位置に固定された他方の支持装置と、
前記一方の支持装置に取り付けたシーブを介して前記ゴンドラに連結されたワイヤロープ、及び、前記他方の支持装置に取り付けたシーブを介して前記バランスウエイトに連結されたワイヤロープを支持して、前記一方の支持装置と他方の支持装置との間に設置したレールに沿って走行するワイヤロープ牽引装置とを備え
前記ゴンドラとバランスウエイトの相対的な高さ位置関係は、ゴンドラが地上に位置している状態ではバランスウエイトが屋上階近傍に位置する位置関係であり、
前記ワイヤロープ牽引装置を走行駆動することにより、
前記ゴンドラを地上と屋上階との間で、前記バランスウエイトの逆の昇降動作を伴いつつ昇降させるようにしたことを特徴とする緊急屋上避難装置。
【請求項７】
前記ワイヤロープ牽引装置の前記レールがモノレールであり、牽引装置本体部に走行駆動部、及びワイヤロープを支持するワイヤロープ支持部を設けたことを特徴とする請求項６記載の緊急屋上避難装置。
【請求項８】
前記ワイヤロープ牽引装置は、屋上における前記ゴンドラ側のワイヤロープと前記バランスウエイト側のワイヤロープとが直線状をなす態様で支持していることを特徴とする請求項６又は７に記載の緊急屋上避難装置。
【請求項９】
前記ゴンドラ側のワイヤロープ及びバランスウエイト側のワイヤロープはそれぞれ、前記一方の支持装置の最先端のシーブ及び他方の支持装置の最先端のシーブから直接又は間接的に立下ってそれぞれ屋上床面近傍の高さ位置に設けたシーブを通されており、
前記ワイヤロープ牽引装置は、ワイヤロープの前記２つの屋上床面近傍の高さ位置のシーブ間を支持していることを特徴とする請求項６〜８のいずれか１項に記載の緊急屋上避難装置。
【請求項１０】
陸屋根形式の建物の一方の外壁面に面して配されたゴンドラと、
屋上階における前記ゴンドラの上方位置に固定された一方の支持装置と、
前記一方の外壁面と反対側の他方の外壁面に面して平面視で前記ゴンドラに後背する位置に配されたバランスウエイトと、
屋上階における前記バランスウエイトの上方位置に固定された他方の支持装置と、
前記一方の支持装置に取り付けたシーブを介して前記ゴンドラに連結されたワイヤロープ、及び、前記他方の支持装置に取り付けたシーブを介して前記バランスウエイトに連結されたワイヤロープをそれぞれ支持してワイヤロープを駆動するワイヤロープ駆動手段を備え、
前記ゴンドラとバランスウエイトとの相対的な高さ位置関係は、ゴンドラが地上に位置している状態ではバランスウエイトが屋上階近傍に位置する位置関係であり、
前記ワイヤロープ駆動手段を電動モータ又は手動により駆動することにより、
前記ゴンドラを地上と屋上階との間で、前記バランスウエイトの逆の昇降動作を伴いつつ昇降させるようにしたことを特徴とする緊急屋上避難装置。
【発明の詳細な説明】
【技術分野】
【０００１】
この発明は、例えば津波時等の際に建物の下階側から屋上に極めて短時間で避難することを可能にする緊急屋上避難装置に関する。
【背景技術】
【０００２】
海沿いの地域において津波発生の緊急警報が発せられた際に、近くに高台や高い建物等の安全な場所があれば、安全に避難できる可能性は高い。しかし、そのような安全な場所が近くにない地域の人にとっては多くの場合安全に避難することが困難であり、津波時に避難できるような津波時避難用の高い建築構造物が望まれる。
そこで、想定津波高さを越える高さの避難ステージ及びそこへ昇るための階段を備えた鉄骨構造の避難タワーが提案されている（特許文献１、２）。
【先行技術文献】
【特許文献】
【０００３】
【特許文献１】特開２００５−２６４７２１
【特許文献２】特開２００６−０８３５４９
【発明の概要】
【発明が解決しようとする課題】
【０００４】
上記従来の鉄骨構造の避難タワーでは、自力で階段を昇れない人にとっては実際に避難できる設備として機能しない可能性が高い。
また、例えば老人ホームや介護施設、障害者施設等の社会福祉施設等において、その建物が想定される津波高さより高い屋上を持つとしても、寝たきりの状態や車椅子利用等の人にとっては、居室のある階から屋上に自力であるいは若干の補助だけで直ちに避難することはほとんど困難である。なお、エレベータがあっても、多勢の人を短時間で避難させることは困難である。
【０００５】
本発明は上記事情に鑑みてなされたもので、例えば津波に襲われた時に建物の屋上に緊急に避難しなければ危険な場合等において、寝たきりの状態や車椅子利用等の人が、その建物の居室のある階から屋上に、自力であるいは若干の補助だけで直ちに避難することを可能にする緊急屋上避難装置を提供することを目的とする。
【課題を解決するための手段】
【０００６】
上記課題を解決する請求項１の発明の緊急屋上避難装置は、陸屋根形式の建物の一方の外壁面に面して配されたゴンドラと、
前記一方の外壁面に配されて前記ゴンドラを昇降可能に案内するガイド部材と、
屋上階における前記ゴンドラの上方位置に固定された一方の支持装置と、
前記一方の外壁面と反対側の他方の外壁面に面して平面視で前記ゴンドラに後背する位置に配されたバランスウエイトと、
屋上階における前記バランスウエイトの上方位置に固定された他方の支持装置と、
前記一方の支持装置に取り付けたシーブを介して前記ゴンドラに連結されたワイヤロープ、及び、前記他方の支持装置に取り付けたシーブを介して前記バランスウエイトに連結されたワイヤロープをそれぞれ共通の巻胴に巻き取るワイヤ巻取りリールとを備え、
前記ゴンドラとバランスウエイトとの相対的な高さ位置関係は、ゴンドラが地上に位置している状態ではバランスウエイトが屋上階近傍に位置する位置関係であり、
前記ワイヤ巻取りリールを電動モータ又は手動により回転駆動することにより、
前記ゴンドラを地上と屋上階との間で、前記バランスウエイトの逆の昇降動作を伴いつつ昇降させるようにしたことを特徴とする。
【０００７】
請求項２は、請求項１の緊急屋上避難装置において、前記ワイヤ巻取りリールを２つ、共通の回転軸を有する態様で２連に設置し、それぞれのワイヤロープをゴンドラ及びバランスウエイトに連結したたことを特徴とする。
【０００８】
請求項３は、請求項１又は２の緊急屋上避難装置において、前記支持装置は、両側の支持装置を結ぶ直線と水平に直交する方向から見て、屋上床に固定されたベース部と前記ベース部の外壁側の一端から立ち上がる柱部と前記柱部の上端から外壁面より外側に張出す突梁部とで概ねＺ形をなすフレームを有するＺ型の突梁型支持装置であり、このＺ型の突梁型支持装置の前記突梁部の先端近傍にシーブを備えていることを特徴とする。
【０００９】
請求項４は、請求項１〜３のいずれかの緊急屋上避難装置において、
前記ワイヤ巻取りリールは、屋上における前記ゴンドラ側のワイヤロープと前記バランスウエイト側のワイヤロープとが一直線状をなす態様で巻回していることを特徴とする請求項１〜３のいずれか１項に記載の緊急屋上避難装置。
【００１０】
請求項５は、請求項１〜４のいずれかの緊急屋上避難装置において、前記ゴンドラ側のワイヤロープ及びバランスウエイト側のワイヤロープはそれぞれ、前記一方の支持装置の最先端のシーブ及び他方の支持装置の最先端のシーブから直接又は間接的に立下ってそれぞれ屋上床面近傍の高さ位置に設けたシーブを通されており、前記ワイヤ巻取りリールは、ワイヤロープの前記２つの屋上床面近傍シーブ間を直線状をなす態様で巻回していることを特徴とする。
【００１１】
請求項２の発明の緊急屋上避難装置は、陸屋根形式の建物の一方の外壁面に面して配されたゴンドラと、
前記外壁面に配されて前記ゴンドラを昇降可能に案内するガイド部材と、
屋上階における前記ゴンドラの上方位置に固定された一方の支持装置と、
前記一方の外壁面と反対側の他方の外壁面に面して平面視で前記ゴンドラに後背する位置に配されたバランスウエイトと、
屋上階における前記バランスウエイトの上方位置に固定された他方の支持装置と、
前記一方の支持装置に取り付けたシーブを介して前記ゴンドラに連結されたワイヤロープ、及び、前記他方の支持装置に取り付けたシーブを介して前記バランスウエイトに連結されたワイヤロープを支持して、前記一方の支持装置と他方の支持装置との間に設置したレールに沿って走行するワイヤロープ牽引装置とを備え
前記ゴンドラとバランスウエイトの相対的な高さ位置関係は、ゴンドラが地上に位置している状態ではバランスウエイトが屋上階近傍に位置する位置関係であり、
前記ワイヤロープ牽引装置を走行駆動することにより、
前記ゴンドラを地上と屋上階との間で、前記バランスウエイトの逆の昇降動作を伴いつつ昇降させるようにしたことを特徴とする。
【００１２】
請求項７は、請求項６の緊急屋上避難装置において、
前記ワイヤロープ牽引装置の前記レールがモノレールであり、牽引装置本体部に走行駆動部、及びワイヤロープを支持するワイヤロープ支持部を設けたことを特徴とする。
【００１３】
請求項８は、請求項６又は７の緊急屋上避難装置において、
前記ワイヤロープ牽引装置は、屋上における前記ゴンドラ側のワイヤロープと前記バランスウエイト側のワイヤロープとが直線状をなす態様で支持していることを特徴とする。
【００１４】
請求項９は、請求項６〜８のいずれか１項の緊急屋上避難装置において、
前記ゴンドラ側のワイヤロープ及びバランスウエイト側のワイヤロープはそれぞれ、前記一方の支持装置の最先端のシーブ及び他方の支持装置の最先端のシーブから直接又は間接的に立下ってそれぞれ屋上床面近傍の高さ位置に設けたシーブを通されており、
前記ワイヤロープ牽引装置は、ワイヤロープの前記２つの屋上床面近傍の高さ位置のシーブ間を支持していることを特徴とする。
【００１５】
請求項１０の発明の緊急屋上避難装置は、
陸屋根形式の建物の一方の外壁面に面して配されたゴンドラと、
屋上階における前記ゴンドラの上方位置に固定された一方の支持装置と、
前記一方の外壁面と反対側の他方の外壁面に面して平面視で前記ゴンドラに後背する位置に配されたバランスウエイトと、
屋上階における前記バランスウエイトの上方位置に固定された他方の支持装置と、
前記一方の支持装置に取り付けたシーブを介して前記ゴンドラに連結されたワイヤロープ、及び、前記他方の支持装置に取り付けたシーブを介して前記バランスウエイトに連結されたワイヤロープをそれぞれ支持してワイヤロープを駆動するワイヤロープ駆動手段を備え、
前記ゴンドラとバランスウエイトとの相対的な高さ位置関係は、ゴンドラが地上に位置している状態ではバランスウエイトが屋上階近傍に位置する位置関係であり、
前記ワイヤロープ駆動手段を電動モータ又は手動により駆動することにより、
前記ゴンドラを地上と屋上階との間で、前記バランスウエイトの逆の昇降動作を伴いつつ昇降させるようにしたことを特徴とする。
【発明の効果】
【００１６】
本発明によれば、例えば津波に襲われた時に建物の屋上に緊急に避難しなければ危険な場合等において、通常の建物であれば寝たきりの状態や車椅子利用等などのために自力であるいは若干の補助でも避難することが困難な人でも、その建物の居室のある階から屋上に、自力であるいは若干の補助だけで直ちに避難することが可能となる。
建物の外壁面に沿って昇降するゴンドラを用いるので、例えば２０人等の多数の人を一度に避難させることが可能である。したがって、例えば老人ホームや介護施設、障害者施設等の社会福祉施設等のように、自力であるいは若干の補助でも避難することが困難な人が多数いる建物においても、極めて短時間に屋上に避難させることが可能となる。
建物の一方の外壁面にゴンドラを配置し、その反対側の他方の外壁面にバランスウエイトを配置して、両者の重量の釣り合いを利用してゴンドラを昇降させるので、ゴンドラを昇降させるための駆動力が極めて小さく済み、人力であるいは小型発電機で作動する電動モータによりゴンドラを昇降させることが可能である。したがって、緊急屋上避難装置を安価に設置できる。
【図面の簡単な説明】
【００１７】
【図１】本発明の一実施例の緊急屋上避難装置を設置しようとする建物を模式的に示すもので、（イ）は斜視図、（ロ）は側面図（Ｂ面）である。
【図２】図１の建物に本発明の一実施例の緊急屋上避難装置を設置した状態を示す建物の概ねＢ面側から見た模式的な斜視図である。
【図３】図２における緊急屋上避難装置の構成の概略を示す図（建物のＣ面側から見た構成を示す図）である。
【図４】図２におけるゴンドラ３の概略構成を示すもので、（イ）、（ロ）はそれぞれ若干異なる実施例のゴンドラの斜視図である。
【図５】図４（イ）のゴンドラの建物側面との関係を水平断面図で説明する図である。
【図６】ゴンドラが上階位置で停止している際のゴンドラの位置ロックのためのロック機構を示す図である。
【図７】図２におけるワイヤロープ巻取り装置の概略構成を示す斜視図である。
【図８】図７のワイヤロープ巻取り装置における駆動側のワイヤ巻取りリールの詳細を示すもので、（イ）は正面図である。（ロ）〜（ニ）はワイヤロープの巻回状態を説明する側面図であり、（ロ）はゴンドラが地上にある状態、（ハ）はゴンドラ及びバランスウエイトが高さ中間位置にある状態、（ニ）はゴンドラが屋上階に達した状態を示す。
【図９】本発明の他の実施例の緊急屋上避難装置を示すもので、図３に相当する図である。
【図１０】本発明のさらに他の実施例の緊急屋上避難装置を示すもので、図３に相当する図である。
【図１１】本発明のさらに他の実施例の緊急屋上避難装置を示すもので、図３に相当する図である。
【発明を実施するための形態】
【００１８】
以下、本発明の緊急屋上避難装置を実施するための形態について、図面を参照して説明する。
【実施例１】
【００１９】
本発明の緊急屋上避難装置は、主として津波に襲われた際に緊急に屋上に避難することを可能にするものである。図１（イ）は本発明の一実施例の緊急屋上避難装置を設置しようとする建物を模式的に示す斜視図である。
この建物は、屋上を有する陸屋根型の建物１であり、図示例は３階建てである。１ａはエントランス部分、１ｂは屋上周囲のパラペット、１ｃはフェンス、１ｄは階段室（又はエレベータＲ階室も含む階段室）を示す。フェンス１ｃの１ｃ’で示す部分は、避難時に後述するゴンドラ３から屋上に降りる際に開放可能な部分を示す。
この建物１のエントランス１ａのある正面を場合によりＡ面と呼び、右側面をＢ面、背面をＣ面、左側面をＤ面と呼ぶ。図１（ロ）にこの建物のＢ面（右側面）を示す。
この建物は例えば、正面（Ａ面）の幅が５０ｍ、エントランス部分の幅２０ｍ・奥行き１０ｍ、建物の奥行き（Ｂ面の幅）が３４ｍ、建物高さが１０ｍ（１階高さ４ｍ、２階、３階高さがそれぞれ３ｍ）。面積は１階が１９００ｍ２、２階と３階が１７００ｍである。屋上のパラペット高さ０．５ｍ、フェンス高さ１．５ｍである。
【００２０】
図２は図１の建物１に本発明の一実施例の緊急屋上避難装置２Ａを設置した状態を示し、図１の右側面（Ｂ面）側から見た模式的な斜視図、図３は図２における緊急屋上避難装置２Ａの構成の概略を示す図（建物背面（Ｃ面）側から見た構成を示す図）である。なお、図２ではパラペット１ｂ及びフェンス１ｃの図示を省略し、図３ではフェンス１ｃの図示を省略している。
この緊急屋上避難装置２Ａは、前記陸屋根形式の建物１の一方の外壁面（図示例では正面から見て右側の外壁面（Ｂ面））に面して配されたゴンドラ３と、前記一方の外壁面に配されて前記ゴンドラ３を昇降可能に案内するガイドレール（ガイド部材）４と、屋上階における前記ゴンドラ３の上方位置に固定された一方の突梁型支持装置５と、前記一方の外壁面と反対側の他方の外壁面（正面から見て左側の外壁面（Ｄ面））に面して平面視で前記ゴンドラ３に後背する位置に配されたバランスウエイト６と、前記他方の外壁面に配されて前記バランスウエイト７を昇降可能に案内するガイドレール（ガイド部材）４’と、屋上階における前記バランスウエイト７の上方位置に固定された他方の突梁型支持装置６と、前記一方の突梁型支持装置５に取り付けたシーブ８を介して前記ゴンドラ３に連結されたワイヤロープ１０ａ、及び、前記他方の突梁型支持装置６に取り付けたシーブ９を介して前記バランスウエイト７に連結されたワイヤロープ１０ｂをそれぞれ共通の巻胴に巻き取る２つのワイヤ巻取りリール１２とを備えている。
前記２つのワイヤ巻取りリール１２は共通の回転軸１３に固定されて、ワイヤロープ巻取り装置１１を構成する。
【００２１】
前記一方及び他方の各突梁型支持装置５、６はそれぞれ、両側の突梁型支持装置５、６を結ぶ直線と水平に直交する方向から見て（すなわち図３において）、屋上床に固定されたベース部１５ａと前記ベース部１５ａの外壁側の一端から立ち上がる柱部１５ｂと前記柱部１５ｂの上端から外壁面より外側に張出す突梁部１５ｃとで概ねＺ形をなすフレーム１５を有する構造、すなわちＺ型の突梁型支持装置である。前記ベース部１５ａは屋上床にアンカーボルトで固定されている。
前記シーブ８、９はそれぞれ各突梁型支持装置５、６の前記突梁部１５ａの先端部に取り付けられている。
【００２２】
図４（イ）、図５に前記ゴンドラ３の詳細を示す。この実施例のゴンドラ３は、例えば幅４ｍ、奥行き２．５ｍ、高さ２．２ｍ等で、例えばアルミ製コンテナや軽量鉄骨製コンテナ等を利用することができる。ゴンドラ３側の各ワイヤロープ１０ａは、ゴンドラ３の上端の左右部に、２本吊りワイヤロープ１４を介して連結されている。
前記ゴンドラ３は、前後に例えば出入り口３ａを有して、建物各階の室内又は廊下等に設けた出入り口１ｅから出入り可能、かつ、１階では屋外からも出入り可能である。また、前記ガイドレール４に沿って案内される案内車輪（図示略）を備えている。出入り口３ａには例えば引き戸式等の柵ないし戸３ｂ等を設ける。
図４（ロ）は、出入り口３ａに引き戸式の柵３ｂ’設けた場合のゴンドラ３を示す。この実施例では左右の側面を壁面とせずに固定の柵３ｂ”を設けている。
また、ゴンドラは上方が開放された屋根なしタイプでもよい。
【００２３】
ゴンドラ３が各階の停止位置に安定して停止するように、図６に示すような位置ロック機構２７を設けている。このロック機構２７は、建物壁面側に固定した傾斜面２８ａを有するストッパ２８と、このストッパ２８に係合離脱可能な係合突部２９ａを有しゴンドラ３の下面に回転可能に取り付けたロック部材２９と、このロック部材２９のロックを解除するためのロック解除機構３０とを有する。ロック解除機構３０はゴンドラ内の解除レバー３０ａが床孔を通るリンク３０ｂを介してロック部材２９に連結された構成である。
ゴンドラ３が上昇する時は、２点鎖線で示すように、回転フリーのロック部材２９の上側面がストッパ２８の傾斜面２８ａを滑って傾きながら上昇し、ストッパ２８を超えると、ロック部材２９が自重で半時計回り（左回り）に回転して、係合突部２９ａの係合面がストッパ２８の上端面に係合し、かつ、上側突出部２９ｂがゴンドラ３の下部背面に当たって、ゴンドラ３の下降を拘束する。
【００２４】
前記ワイヤロープ巻取り装置１１は、図７、図８にも示すように、前記の通り２つのワイヤ巻取りリール１２を共通の回転軸１３を持つ態様で２連にて設置した構成であり、各ワイヤ巻取りリール１２は前記の通り、前記ゴンドラ３に連結されたワイヤロープ１０ａ、及び前記バランスウエイト７に連結されたワイヤロープ１０ｂのそれぞれ端部を巻胴１２ａに固定しており、ワイヤ巻取りリール１２をいずれか一方に回転させると、ゴンドラ３とバランスウエイト７とが互いに上下逆方向に移動する。
屋上におけるワイヤロープ１０の高さは、例えば屋上床から３〜４ｍの高さ位置である。図示例ではワイヤロープ巻取り装置１１を架台２０に設置しているが、必要に応じて架台２０に上る階段を設けるとよい。
この場合、ワイヤロープ１０の下を通る人の安全のために、図示は省略するが、簡易屋根を設けてその上側にワイヤロープ１０が通るようにするか、あるいは導管を渡してその導管内にワイヤロープ１０を通すとよい。
ワイヤロープ巻取り装置１１は、前記回転軸１３の両側を、屋上床に設置した前記架台２０上に固定した軸受け枠２１で支持し、回転軸１３の両側にそれぞれ前記ワイヤ巻取りリール１２を固定し、一方のワイヤ巻取りリール１２の外側で回転軸１３に大ギア２３を固定し、この大ギア２３に小ギア２４を噛み合わせ、図示例では前記小ギア２４を小型の電動モータ２５で回転駆動するようにした構成である。ワイヤ巻取りリール１２の巻胴１２ａにはワイヤロープ１０を収容する螺旋状の溝１２ｂが形成されている。なお、図示例では大ギア２３、小ギア２４、電動モータ２５からなる駆動部を回転軸１３の端部に配置したが、回転軸の中間に駆動部を配置する構成としてもよい。
電動モータ２５を使用する場合は、図示は省略するがエンジン式の小型発電機を備え付けておくとよい。小型発電機は、ガソリン式あるいはガスボンベ式（外部ガスボンベやカセットガスボンベ）等を使用できる。また、電動モータの電源として、屋上設置の太陽光パネルで蓄電する蓄電器を使用することも可能である。
また、電動モータを設けずに又は電動モータと併用式として、小ギア２４の駆動軸にハンドルを取り付け、手動で回転軸１３及びこれと一体のワイヤ巻取りリール１２を回転駆動する構成としてもよい。また、ハンドルによる手動駆動に代えて、小ギア２４の駆動軸を減速機を介してバッテリ内蔵ドライバードリルで駆動することも考えられる。
例えば、リール径を１．６ｍとすると、周長が５ｍであるから２回転で１０ｍを巻き取ることができる。実施例の建物の場合、高さが１０ｍであるから、ワイヤ巻取りリール１２の２回転でゴンドラ３を地上から屋上まで移動させることができる。
【００２５】
この場合のワイヤ巻取りリール１２上に巻かれているワイヤロープ１０の状況を模式的に示した図８（ロ）〜（ニ）を参照して説明する。
図８（ロ）のワイヤロープ巻回状態が、図２のようにゴンドラ３が地上に位置し、バランスウエイト７が屋上近傍にある場合の状態であり、ゴンドラ側のワイヤロープ１０ａのワイヤ巻取りリール１２への巻回量はゼロである（なお、原理的な説明である）。なお、巻胴１２ａに巻かれたワイヤロープをハッチングで示している。
この図８（ロ）の状態からワイヤ巻取りリール１２をバランスウエイト７の方向に１回転させると、ゴンドラ側のワイヤロープ１０ａが５ｍ巻き取られ、バランスウエイト側のワイヤロープ１０ｂが５ｍ繰り出されて、図８（ハ）の状態となる。この時ゴンドラ３とバランスウエイト７をそれぞれ５ｍ上昇、５ｍ下降した位置にある。
この図８（ハ）の状態からさらにワイヤ巻取りリール１２をバランスウエイト７の方向に１回転させると、ゴンドラ側のワイヤロープ１０ａがさらに５ｍ巻き取られ、バランスウエイト側のワイヤロープ１０ｂがさらに５ｍ繰り出されて、図８（ニ）の状態となる。この時ゴンドラ３は地上から１０ｍ上昇して屋上に達し、バランスウエイト７は１０ｍ下降して、地上に達する。
上述の通りであり、ワイヤロープ巻取り装置１１のワイヤ巻取りリール１２を回転駆動することにより、ゴンドラ３は地上と屋上階との間で、前記バランスウエイト７の逆の昇降動作を伴いつつ昇降する。この場合、ゴンドラ３とバランスウエイト７との相対的な高さ位置関係は、ゴンドラ３が地上に位置している状態ではバランスウエイト７が屋上階近傍に位置し、ゴンドラ３が屋上階に位置している状態ではバランスウエイト７は地上ないし地上付近に位置する位置関係である。
【００２６】
上述の緊急屋上避難装置２Ａによれば、例えば津波に襲われた時に建物の屋上に緊急に避難しなければ危険な場合等において、通常の建物であれば寝たきりの状態や車椅子利用等などのために自力であるいは若干の補助でも避難することが困難な人でも、その建物の居室のある階から屋上に、自力であるいは若干の補助だけで直ちに避難することが可能となる。
建物１の外壁面に沿って昇降するゴンドラ３を用いているので、例えば２０人等の多数の人を一度に避難させることが可能である。したがって、例えば老人ホームや介護施設、障害者施設等の社会福祉施設等のように、自力であるいは若干の補助でも避難することが困難な人が多数いる建物においても、極めて短時間に屋上に避難させることが可能となる。
建物１の一方の外壁面にゴンドラ３を配置し、その反対側の他方の外壁面にバランスウエイト７を配置して、両者の重量の釣り合いを利用してゴンドラ３を昇降させるので、ゴンドラ３を昇降させるための駆動力が極めて小さく済み、人力であるいは小型発電機で作動する電動モータによりゴンドラを昇降させることが可能である。したがって、緊急屋上避難装置を安価に設置できる。
【００２７】
前記ゴンドラ３とバランスウエイト７との釣り合いについてさらに説明すると、前記ワイヤロープ巻取り装置１１の各ワイヤ巻取りリール１２は、屋上におけるゴンドラ３側のワイヤロープ１０ａとバランスウエイト７側のワイヤロープ１０ｂとが概ね一直線状（水平方向からみて一直線状）をなす態様で巻回しているので、ゴンドラ３及びバランスウエイト７の重量がワイヤ巻取りリール１２の両側から作用し、ワイヤ巻取りリール１２にはその重量差だけの力しか作用しない。したがって、ゴンドラ３とバランスウエイト７の重量を適切に設定することで、ワイヤロープ巻取り装置１１に必要な駆動力はかなり小さく済み、手動で回転駆動させることも可能である。
【００２８】
なお、例えば、ゴンドラ３側の重量を、ゴンドラ本体重量１２００ｋｇ、積載量１８００ｋｇで合計３０００ｋｇの重量に設定したとする。積載量１８００ｋｇは、例えば定員２０名として、
２０名×６５ｋｇ／人＋５００ｋｇ（車椅子等）＝１３００ｋｇ＋５００ｋｇ＝１８００ｋｇ
等を想定している。
この場合、バランスウエイト７の重量を３０００ｋｇとすると、両者が釣り合うので、ワイヤロープ巻取り装置１１には原理的には殆んど駆動力を必要としない。
しかし、ゴンドラ３の積載人数が一定でなくゴンドラ側重量が一定でないことを考慮して、例えば、バランスウエイト７の重量を、ゴンドラ本体重量（１２００ｋｇ）＋積載量の半分（９００ｋｇ）＝２１００ｋｇ、に設定した場合、最大で９００ｋｇの力がワイヤロープ巻取り装置１１に作用する（ゴンドラ３が空の場合、又は満員の場合）。この場合、大ギア２３の径と小ギ２４の径の比だけで、駆動力を人力で安全に駆動できる程度の小さな駆動力にまで下げるのは困難なので、減速ギアを介在させる。この場合、ワイヤロープ巻取り装置１１を小型発電機や前述のバッテリ内蔵ドライバードリル等で作動する減速機付き電動モータで駆動すると、ゴンドラ３の昇降作業が容易である。
前記バッテリ内蔵ドライバードリルの場合、例えば、リチウムイオン１４．４Ｖバッテリ内蔵で最大トルク２８Ｎ・ｍ（＝２.８５６ｋｇ・ｍ）の市販のドライバードリルでも十分可能である。ゴンドラ３側とバランスウエイト側との最大重量差９００ｋｇの場合の必要トルクは、前記リール径１．６ｍ（＝半径０．８ｍ）の場合、０．８ｍ×９００ｋｇ＝７２０ｋｇ・ｍとなるが、７２０ｋｇ・ｍ／２.８５６ｋｇ・ｍ＝２５２、であり、ギア比２５２の減速機を介すれば、十分可能である。
【００２９】
なお、バランスウエイト７の重量をゴンドラ３の重量１２００ｋｇとし、バランスウエイト７に容易に着脱できる例えば２５０ｋｇの鉄塊（概ね４０×４０×２０ｃｍの大きさ）等による複数の錘（合計１８００ｋｇ程度とする）を屋上階に用意しておくことも考えられる。この場合、例えば錘にフック付きワイヤを取り付けておき、屋上階にあるバランスウエイト７に前記フックを掛ける（錘自体を持たなくてよい）ことで、バランスウエイト７側の重量を重くして、ゴンドラ３の重量に対応させる。
また、バランスウエイト７に例えば１．８ｍ３等のタンクを一体に設け、かつ、屋上階に１．８ｍ３等の水槽を設置して常に１．８ｍ３程度の水を収容しておき、屋上の水槽の水の一定量をバランスウエイト７の前記タンクに一気に流し込むことができるようにすることも考えられる。
その他、バランスウエイト７側の重量をゴンドラ３の積載量変動に対応させて極力重量差をなくす手段は種々考えられる。
【００３０】
前述では、ゴンドラ側のワイヤロープ１０ａとバランスウエイト側のワイヤロープ１０ｂとをワイヤ巻取りリール１２の巻胴１２ａに個別に連結する構成としたが、１本のワイヤロープ１０の中間部をワイヤ巻取りリール１２に巻回する構成とすることも可能である。この場合、ワイヤロープが巻胴上で滑ってゴンドラ側のワイヤロープ１０ａの長さとバランスウエイト側のワイヤロープ１０ｂ側の長さとに変動が生じないように、例えばワイヤロープの中間点を巻胴に固定するとよい。
【実施例２】
【００３１】
図９に本発明の他の実施例の緊急屋上避難装置２Ｂを示す。
この緊急屋上避難装置２Ｂは、ゴンドラ３、バランスウエイト７、ガイドレール４、４’、一方の突梁型支持装置５及び他方の突梁型支持装置６、シーブ（ここでは第１シーブとする）８、９などについては、図２、図３の緊急屋上避難装置２Ａと共通である。
この緊急屋上避難装置２Ｂは、概略には、図２、図３等で説明した緊急屋上避難装置２Ａにおいて、ワイヤロープ１０の通る高さ位置を屋上床近傍の高さに下げた構成である。
すなわち、ゴンドラ３側のワイヤロープ１０ａ及びバランスウエイト７側のワイヤロープ１０ｂが、一方の突梁型支持装置５の最先端のシーブ８又は他方の突梁型支持装置６の最先端のシーブ９からそれぞれ第２シーブ３３、３４を介して屋上床面近傍の高さ位置に設けた第３シーブ３５、３６に通されており、ワイヤロープ巻取り装置１１の各ワイヤ巻取りリール１２は、前記２つの屋上床面近傍シーブ３５、３６間の、当該各ワイヤ巻取りリール１２の両側のワイヤロープ１０ａ、１０ｂが直線状をなす態様で巻回している。
前記第２のシーブ３３、３４はそれぞれ突梁型支持装置５、６のＺ型をなすフレーム１５の１５ｃの内側端部に取り付けられ、前記第３のシーブ３５、３６はそれぞれ突梁型支持装置５、６のＺ型をなすフレーム１５のベース部１５ａの内側端部に取り付けられている。
この実施例のワイヤロープ巻取り装置１１の構成自体は、高さのある架台２０上に設置したものではない点を除けば、前記図２、図３のワイヤロープ巻取り装置１１と同様である。但し、ワイヤロープ１０の巻胴への入線は、図２、図３の場合の頂部入線とは異なり、巻胴の底部である。
【００３２】
上記の緊急屋上避難装置２Ｂにおいて、ワイヤロープ巻取り装置１１でワイヤロープ１０を巻き取ると、前述の実施例と同様に、ゴンドラ３が地上と屋上階との間で、バランスウエイト７の逆の昇降動作を伴いつつ昇降する。
【実施例３】
【００３３】
図１０に本発明のさらに他の実施例の緊急屋上避難装置２Ｃを示す。
この緊急屋上避難装置２Ｃは、概略には、図２・図３や図９の実施例の緊急屋上避難装置２Ａ、２Ｂがワイヤロープ１０を駆動する装置としてワイヤロープ巻取り装置１１を用いているのに対して、ワイヤロープ巻取り装置１１に代えて、レールに沿って走行するワイヤロープ牽引装置４１を用いている構成である。
ゴンドラ３、バランスウエイト７、ガイドレール４、４’、一方の突梁型支持装置５及び他方の突梁型支持装置６、シーブ８、９などについては、図２・図３や図９の緊急屋上避難装置２Ａ、２Ｂと共通である。
【００３４】
前記ワイヤロープ牽引装置４１は、詳細図示は省略するが、ワイヤロープ牽引装置本体４１ａに、一方の突梁型支持装置５に取り付けたシーブ８を介してゴンドラ３に連結されたワイヤロープ１０ａ、及び、他方の突梁型支持装置６に取り付けたシーブ９を介してバランスウエイト７に連結されたワイヤロープ１０ｂのそれぞれ端部を連結して、前記一方の突梁型支持装置５と他方の突梁型支持装置６との間に突梁部１５ｃの高さ位置で設置したモノレール４２に沿って走行する構成である。
ワイヤロープ牽引装置４１の駆動は、例えば、ワイヤロープ牽引装置本体４１ａに設けたピニオンとモノレール４２側に形成したとを噛み合わせ、ピニオンを駆動して、ワイヤロープ牽引装置本体を走行駆動させる構成とすることができる。ピニオンの駆動は、ワイヤロープ牽引装置本体４１ａに減速機付きの電動モータを搭載し、その出力軸にピニオンを固定して行なうことができる。
【００３５】
この緊急屋上避難装置２Ｃのモノレール４２は、屋上床に立設した柱４３に支持されて屋上床面から３〜４ｍの高さ位置に設置されている。
なお、ワイヤロープ牽引装置４１は、ゴンドラ３とバランスウエイト７とを連結する１本のワイヤロープ１０の中間部を支持（固定）して、一方の突梁型支持装置５と他方の突梁型支持装置６との間のモノレール４２に沿って走行する構成とすることも可能である。
【００３６】
上記の緊急屋上避難装置２Ｃにおいて、ワイヤロープ牽引装置４１がモノレール４２に沿って走行すると、前述の各実施例と同様に、ゴンドラ３が地上と屋上階との間で、バランスウエイト７の逆の昇降動作を伴いつつ昇降する。
【実施例４】
【００３７】
図１１に本発明のさらに他の実施例の緊急屋上避難装置２Ｄを示す。
この突梁型支持装置２Ｄは、ゴンドラ３、バランスウエイト７、ガイドレール４、４’、一方の突梁型支持装置５及び他方の突梁型支持装置６、シーブ８、９（ここでは第１シーブとする）などについては、図１０の緊急屋上避難装置２Ｃと共通である。また、ワイヤロープ牽引装置４１の構成も図１０のものと共通である。
この緊急屋上避難装置２Ｄは、概略には、図１０で説明した緊急屋上避難装置２Ｃにおけるモノレール４２の高さを低くして、ワイヤロープ牽引装置４１が屋上床近傍の高さ位置を走行するようにした構成である。
すなわち、ゴンドラ３側のワイヤロープ１０ａ及びバランスウエイト７側のワイヤロープ１０ｂが、一方の突梁型支持装置５の最先端のシーブ８又は他方の突梁型支持装置６の最先端のシーブ９からそれぞれ第２シーブ３３、３４を介して屋上床面近傍の高さ位置に設けた第３シーブ３５、３６に通されており、ワイヤロープ牽引装置４１は、前記２つの屋上床面近傍高さ位置のシーブ３５、３６間に設置したモノレール５２に沿って走行する。
【００３８】
上記の緊急屋上避難装置２Ｄにおいて、ワイヤロープ牽引装置４１がモノレール５２に沿って走行すると、前述の各実施例と同様に、ゴンドラ３が地上と屋上階との間で、バランスウエイト７の逆の昇降動作を伴いつつ昇降する。
【実施例５】
【００３９】
上述の実施例では、ゴンドラ３及びバランスウエイト７の荷重を直接受けるシーブ８、９を支持する支持装置として、突梁部１５ｃを有してＺ型をなすフレーム１５を持つＺ型の突梁型支持装置５、６を設けたが、Ｚ型の突梁型支持装置に限らず、また突梁型にも限らず、その他の構造の支持装置を採用することができる。
また、ワイヤ巻取りリールを用いる実施例では２連のワイヤ巻取りリール１２によるワイヤロープ巻取り装置１１を用いたが、場合により１つのワイヤ巻取りリール１２を設置する構成とすることもできる。
また、ワイヤロープを駆動するワイヤロープ駆動手段として、実施例のようなワイヤ巻取りリール１２を用いる方式、あるいはワイヤロープ牽引装置４１による方式に限らず、その他の構造のワイヤロープ駆動手段を採用することができる。
【実施例６】
【００４０】
ゴンドラ３を案内するガイド部材は、実施例のようなガイドレール４に限らず、ワイヤロープでガイドする構成も考えられる。
また、バランスウエイト７を案内するガイド部材は、必ずしも設けなくてもよい場合も考えられる。
本発明の緊急屋上避難装置は、主として津波に襲われた際に緊急に屋上に避難することを可能にするものであり、例えば老人ホームや介護施設、障害者施設等の社会福祉施設等に適用して好適であるが、その他の建物にも適用することができ、また、津波時に限らず、階下から出火して屋上に避難せざろう得ない場合等にも使用できる。  
【符号の説明】
【００４１】
１  建物
１ａ  エントランス部分、
１ｂ  パラペット、
１ｃ  フェンス、
１ｄ  屋上階段室
２Ａ、２Ｂ、２Ｃ、２Ｄ  緊急屋上避難装置
３  ゴンドラ
３ａ  出入り口
４、４’  ガイドレール（ガイド部材）
５  一方の支持装置（Ｚ型の突梁型支持装置）
６  他方の支持装置（Ｚ型突梁型支持装置）  
７  バランスウエイト
８  （一方の前記支持装置５の先端に取り付けた）シーブ
９  （他方の前記支持装置６の先端に取り付けた）シーブ
１０  ワイヤロープ
１０ａ  ゴンドラ側のワイヤロープ
１０ｂ  バランスウエイト側のワイヤロープ
１１  ワイヤロープ巻取り装置
１２  ワイヤ巻取りリール
１２ａ  巻胴
１２ｂ  溝
１３  回転軸
１５  （Ｚ型の突梁型支持装置の）フレーム
１５ａ  ベース部
１５ｂ  柱部
１５ｃ  突梁部
２０  架台
２１  （ワイヤロープ巻取り装置の）軸受け枠
２３  大ギア
２４  小ギア
２６  電動モータ
２７  位置ロック機構
２８  ストッパ
２９  ロック部材
３０  ロック解除機構
３３、３４  第２シーブ
３５、３６  第３シーブ
４１  ワイヤロープ牽引装置
４１ａ  ワイヤロープ牽引装置本体
４３  柱
【図１】
2014173288.tif 000003
【図２】
2014173288.tif 000004
【図３】
2014173288.tif 000005
【図４】
2014173288.tif 000006
【図５】
2014173288.tif 000007
【図６】
2014173288.tif 000008
【図７】
2014173288.tif 000009
【図８】
2014173288.tif 000010
【図９】
2014173288.tif 000011
【図１０】
2014173288.tif 000012
【図１１】
2014173288.tif 000013